(57)【特許請求の範囲】
【請求項１】
本体と、この本体の前面に設けられ、吸込口を有する前面パネルと、この前面パネルに対向して設けられた熱交換器と、この熱交換器の下流側に設けられた送風機と、前記本体の下方に設けられた吹出口とを有する空気調和機において、前記熱交換器と前記送風機の間の該送風機の近傍に設けられ、風の流れと略平行に配設された整流板を備え、前記熱交換器の下方に設けられ、熱交換器のドレンの回収と風路を兼ねた吹出ノズルを備え、整流板を該吹出ノズルに固定したことを特徴とする空気調和機。
【請求項２】
整流板を吹出ノズルに設けたネジボスに固定したことを特徴とする請求項１記載の空気調和機。
【請求項３】
整流板を吹出ノズルに設けた丸ピンの先端をつぶすことにより前記吹出ノズルに取り付けたことを特徴とする請求項１記載の空気調和機。
【請求項４】
整流板に設けた切り起こし丸穴が、吹出ノズルの丸ピンに食い込むことによって前記整流板を前記吹出ノズルに取り付けたことを特徴とする請求項１記載の空気調和機。
【請求項５】
本体と、この本体の前面に設けられ、吸込口を有する前面パネルと、この前面パネルに対向して設けられた熱交換器と、この熱交換器の下流側に設けられた送風機と、前記本体の下方に設けられた吹出口とを有する空気調和機において、前記熱交換器と前記送風機の間の該送風機の近傍に設けられ、風の流れと略平行に配設された整流板を備え、前記本体は左右風路側壁を有し、前記熱交換器を本体に取り付ける場合に、前記整流板も同時に前記熱交換器両端の押え片により前記本体の左右風路側壁に取り付けることを特徴とする空気調和機。
【請求項６】
本体と、この本体の前面に設けられ、吸込口を有する前面パネルと、この前面パネルに対向して設けられた熱交換器と、この熱交換器の下流側に設けられた送風機と、前記本体の下方に設けられた吹出口とを有する空気調和機において、前記熱交換器と前記送風機の間の該送風機の近傍に設けられ、風の流れと略平行に配設された整流板を備え、前記整流板に設けた曲線部を前記熱交換器のパイプに係止することにより前記整流板を前記熱交換器に取り付けたことを特徴とする空気調和機。
【請求項７】
整流板を複数枚の構成にしたことを特徴とする請求項１又は請求項５又は請求項６記載の空気調和機。
【発明の詳細な説明】
【０００１】
【発明の属する技術分野】
この発明は、空気調和機に関するものである。
【０００２】
【従来の技術】
図１２は、例えば実公平３−２７２３４号公報に示された従来の空気調和機を示す断面図である。図において、１は空気調和機本体、２は吸込口３が設けられた前面パネル、４はエアフィルターで、熱交換器５と吸込口３の間に配置される。６は送風機、７は熱交換器５からのドレンの回収と風路形状を兼ねた吹出ノズル、８は吹出口で吹出風を左右に調節するための左右風向調節板９と上下に調節するための上下風向調節板１０が設けられている。
【０００３】
次に動作について説明する。送風機６が回転すると、周りの空気が前面パネル２の吸込口３から進入しエアフィルター４で除塵されて熱交換器５で熱交換されその後吹出口８から吹き出されるが、その時左右風向調節板９と上下風向調節板１０により風向が調節される。
【０００４】
このとき、図１３に示すように空気はポイントＡの付近を渦の中心として流れるが全ての空気が吸込口３から入り吹出口８から吹き出すのではなく、吹出口８に流れないで上方に流れる空気も若干あり、それが本来の空気の流れを阻害している。
【０００５】
【発明が解決しようとする課題】
従来の空気調和機は以上のように構成されているので、図１３に示すようにＡ点付近を渦の中心として流れるので、全ての空気が吸込口３から入り吹出口８から吹き出すのではなく、吹出口８に流れないで上方に流れる空気も若干あり、上方に流れる空気が本来の流れを阻害し風量を低下させている。
【０００６】
この発明は、上記のような問題点を解消するためになされたもので、本来の流れを阻害する空気の上方への流れをなくし風量を増大させる空気調和機を得ることを目的とする。
【０００７】
【課題を解決するための手段】
請求項１の空気調和機は、本体と、この本体の前面に設けられ、吸込口を有する前面パネルと、この前面パネルに対向して設けられた熱交換器と、この熱交換器の下流側に設けられた送風機と、本体の下方に設けられた吹出口とを有する空気調和機において、熱交換器と送風機の間の送風機の近傍に設けられ、風の流れと略平行に配設された整流板を備え、熱交換器の下方に設けられ、熱交換器のドレンの回収と風路を兼ねた吹出ノズルを備え、整流板を吹出ノズルに固定したことを特徴とする。
【０００９】
請求項２の空気調和機は、請求項１記載の空気調和機において、整流板を吹出ノズルに設けたネジボスに固定したことを特徴とする。
【００１０】
請求項３の空気調和機は、請求項１記載の空気調和機において、整流板を吹出ノズルに設けた丸ピンの先端をつぶすことにより吹出ノズルに取り付けたことを特徴とする。
【００１１】
請求項４の空気調和機は、請求項１記載の空気調和機において、整流板に設けた切り起こし丸穴が、吹出ノズルの丸ピンに食い込むことによって整流板を吹出ノズルに取り付けたことを特徴とする。
【００１４】
請求項５の空気調和機は、本体と、この本体の前面に設けられ、吸込口を有する前面パネルと、この前面パネルに対向して設けられた熱交換器と、この熱交換器の下流側に設けられた送風機と、前記本体の下方に設けられた吹出口とを有する空気調和機において、前記熱交換器と前記送風機の間の該送風機の近傍に設けられ、風の流れと略平行に配設された整流板を備え、本体は左右風路側壁を有し、熱交換器を本体に取り付ける場合に、整流板も同時に熱交換器両端の押え片により本体の左右風路側壁に取り付けることを特徴とする。
【００１６】
請求項６の空気調和機は、本体と、この本体の前面に設けられ、吸込口を有する前面パネルと、この前面パネルに対向して設けられた熱交換器と、この熱交換器の下流側に設けられた送風機と、前記本体の下方に設けられた吹出口とを有する空気調和機において、前記熱交換器と前記送風機の間の該送風機の近傍に設けられ、風の流れと略平行に配設された整流板を備え、整流板に設けた曲線部を熱交換器のパイプに係止することにより整流板を熱交換器に取り付けたことを特徴とする。
【００１７】
請求項７の空気調和機は、請求項１又は請求項５又は請求項６記載の空気調和機において、整流板を複数枚の構成にしたことを特徴とする。
【００１８】
【発明の実施の形態】
実施の形態１．
以下、この発明の実施の形態１を図について説明する。図１はこの発明の実施の形態１による空気調和機の断面図、図２はその整流板の斜視図である。図において、１は空気調和機本体、２は吸込口３が設けられた前面パネル、４はエアフィルターで、熱交換器５と吸込口３の間に配置される。６は送風機、７は熱交換器５からのドレンの回収と風路形状を兼ねた吹出ノズル、８は吹出口で吹出風を左右に調節するための左右風向調節板９と上下に調節するための上下風向調節板１０が設けられている。１１は整流板で樹脂または鋼板製でＢ寸法約６００ｍｍ、Ｃ寸法約４ｍｍ、Ｄ寸法約１ｍｍで形成され、熱交換器５と送風機６の間に風の流れとほぼ平行で送風機６との隙間寸法Ｅが約５ｍｍになるように配置され、取付のための丸穴１２が複数箇所設けられている。１３は吹出ノズル７に丸穴１２と同一ピッチで一体に設けられた取付ボス、１４は取付ネジである。
【００１９】
次に動作について説明する。本実施の形態の空気調和機は送風機６が回転すると、周りの空気が前面パネル２の吸込口３から進入しエアフィルター４で除塵されて熱交換器５で熱交換されその後吹出口８から吹き出される。この時図３のように熱交換器５を通過した空気はポイントＡ付近を渦の中心にして流れ若干上方に流れる空気があるが整流板１１がその空気の流れを止め本来の空気の流れを阻害することがなくなる。
【００２０】
この時、整流板１１と送風機６との隙間寸法Ｅが小さいと風切り音が出やすく大きいと効果がなくなり高い寸法精度を要するが、整流板を直接吹出ノズルに取り付けているためＥ寸法の精度が高い。また整流板のＤ寸法が薄いため波打ちしやすいが取付ボス１４を増やせば波打ちも出難くなる。
【００２１】
実施の形態２．
以下、この発明の実施の形態２を図について説明する。図４（ａ）はこの発明の実施の形態２による整流板の斜視図、図４（ｂ）はその断面図である。実施の形態１では整流板１１を吹出ノズル７にネジ止めすることにより固定していたが、図４（ａ）、（ｂ）のように構成しても同様の効果が得られる。１５は吹出ノズル７に整流板１１の丸穴１２と同一ピッチで複数箇所設けられた受け片でその上部には丸ピン１６が設けられている。整流板１１は丸穴１２に丸ピン１６が嵌合し丸ピン１６の先端を熱または超音波等でつぶし広げることによって受け片１５に固定される。
整流板１１は丸穴１２と丸ピン１６によって固定されているが、同時に位置決めも兼ねているためＥ寸法の精度も高くなる。
【００２２】
実施の形態３．
以下、この発明の実施の形態３を図について説明する。図５はこの発明の実施の形態３による整流板の斜視図、図６はその整流板の取付状態を示す断面図である。実施の形態２では整流板１１を吹出ノズル７に溶着することにより固定していたが、図５、６のように構成しても同様の効果が得られる。整流板１１は鋼板製で、部分的にスリットのはいった切起こし丸穴１７が丸ピン１６と同ピッチで複数箇所設けられている。この切起こし丸穴１７に丸ピン１６が挿入され図６のように丸ピン１６に食い込むことにより整流板１１は受け片１５に固定される。
【００２３】
実施の形態４．
上記実施の形態では、整流板１１は吹出ノズル７に固定していたが、空気調和機本体１に固定しても同様の効果が得られる。図７（ａ）はこの発明の実施の形態４による空気調和機の斜視図、図７（ｂ）はその断面図である。図７（ａ）、（ｂ）において、１８は風路の左端となる左側壁で、整流板１１の逃げの部分となる切欠き１９と整流板１１をネジ止めするための取付ボス２０と軸受１４０が挿入されたゴム製の軸受マウント１４１が嵌合挿入される中心穴１４２が設けられ、空気調和機本体１に一体で形成されている。２１は風路右端となる右側壁で、整流板１１の逃げの部分となる切欠き２２と角穴２３と送風機６の右側軸１４３の逃がし部１４４が設けられ、空気調和機本体１に一体で形成されている。１４５は送風機６の左側軸、１４６は電動機で左右に軸受部１４７と片側に電動軸１４８が設けられている。１４９は電動機１４６の振動を吸収するゴム製のモーターマウントで左右の軸受部１４７に挿入されている。１５０は電動機１４６は保持するための保持片で半円状のＵ溝１５１を有し電動機１４６の左右の軸受部１４７に合わせて左右それぞれ空気調和機本体１に一体で形成されている。１５２は電動機１４６を空気調和機本体１に固定するための電動機固定具で軸受部１４７にあわせて半円状のＵ溝１５３が左右に設けられている。送風機６の左側軸１４５は中心穴１４２に嵌合挿入された軸受マウント１４１の軸受１４０に挿入され、右側軸１４３に電動機１４６の電動軸１４８が挿入される。この状態で電動機固定具１５２を保持片１５０にネジ固定することにより電動機１４６は保持片１５０と電動機固定具１５２に挟み込まれる状態で空気調和機本体１に固定され同時に送風機６も固定される。
整流板１１の右端は角穴２３に嵌合挿入されるＬ曲げ部２４、左端には取付ボス２０にネジ止めするための丸穴２５が設けられている。整流板１１はＬ曲げ部２４を右側壁２１の角穴２３に挿入し、取付ネジ１４を取付ボス２０に固定する事により整流板１１は空気調和機本体１に固定される。
また、この実施の形態では整流板１１を送風機６が固定されている空気調和機本体１に直接固定するため整流板１１と送風機６の隙間寸法を高い精度にすることができる。
【００２４】
実施の形態５．
上記実施の形態４では、整流板１１は角穴２３にＬ曲げ部２４を挿入し、ネジ止めすることにより空気調和機本体１に固定していたが、図８のように熱交換器５を左右側壁１８、２１に固定する際、その間に整流板１１を配置することによって固定しても同様の効果が得られる。
【００２５】
図８において、２６は整流板１１を左右側壁１８、２１の切欠き１９、２２に挿入した時左右方向にずれないための両端折曲げ部、２７、２８は熱交換器５の両端に設けられた押さえ片で、左右側壁１８、２１に当てた状態で熱交換器５を空気調和機本体１にネジ止め等で固定したとき切欠き１９、２２に挿入された整流板１１を押さえ片２７がおさえることにより整流板１１は空気調和機本体に固定される。
【００２６】
実施の形態６．
上記実施の形態４、５では、整流板１１を空気調和機本体１に固定したが、熱交換器５から整流板１１までの隙間寸法を高い精度にしたい場合、熱交換器５に固定すればその効果が得られる。図９はこの発明の実施の形態６による空気調和機の分解斜視図、図１０はその要部断面図である。
図９において、２９は上下に熱交換器５のパイプ３０に抱え込ませるための半円部３１を有した鋼線で、整流板１１の両端に設けられた台座３２に溶接等により固定されている。整流板１１は両端に設けられた鋼線２９を図１０のようにパイプ３０に引っかけて熱交換器５裏側に固定される。
本実施の形態では、整流板１１を熱交換器５に固定するので、整流板１１と熱交換器５の間の隙間寸法を高い精度にすることができる。
【００２７】
実施の形態７．
上記実施の形態６では、整流板１１は１枚の構成になっているが、風路の形状によっては複数枚の構成のほうが風量が増大する場合があり、図１１（ａ）、（ｂ）において整流板１１は上整流板１１ａと下整流板１１ｂの２枚で形成され部分的に上下をつなぐ連結片１１ｃにより一体で構成されている。整流板１１は両端に設けられた鋼線３１を図１１（ｂ）のようにパイプ３０に引っかけて熱交換器５裏側に固定される。また、実施の形態１と４について複数枚の構成にしても同様の効果が得られる。
【００２８】
【発明の効果】
請求項１の空気調和機は、本体と、この本体の前面に設けられ、吸込口を有する前面パネルと、この前面パネルに対向して設けられた熱交換器と、この熱交換器の下流側に設けられた送風機と、本体の下方に設けられた吹出口とを有する空気調和機において、熱交換器と送風機の間の送風機の近傍に設けられ、風の流れと略平行に配設された整流板を備え、熱交換器の下方に設けられ、熱交換器のドレンの回収と風路を兼ねた吹出ノズルを備え、整流板を吹出ノズルに固定した構成にしたので、波打ちが出難く送風機との隙間寸法の精度も高いという効果を奏する。
【００３０】
請求項２の空気調和機は、請求項１記載の空気調和機において、整流板を吹出ノズルに設けたネジボスに固定した整流板を吹出ノズルに設けたネジボスに固定したので、波打ちが出難く送風機との隙間寸法の精度も高いという効果を奏する。
【００３１】
請求項３の空気調和機は、請求項１記載の空気調和機において、整流板を吹出ノズルに設けた丸ピンの先端をつぶすことにより吹出ノズルに取り付けた構成にしたので、整流板の吹出ノズルへの固定作業性が改善されコストダウンが図れる。
【００３２】
請求項４の空気調和機は、請求項１記載の空気調和機において、整流板に設けた切り起こし丸穴が、吹出ノズルの丸ピンに食い込むことによって整流板を吹出ノズルに取り付けた構成にしたので、整流板の吹出ノズルへの固定作業性が改善されコストダウンが図れる。
【００３５】
請求項５の空気調和機は、本体と、この本体の前面に設けられ、吸込口を有する前面パネルと、この前面パネルに対向して設けられた熱交換器と、この熱交換器の下流側に設けられた送風機と、本体の下方に設けられた吹出口とを有する空気調和機において、熱交換器と送風機の間の送風機の近傍に設けられ、風の流れと略平行に配設された整流板を備え、本体は左右風路側壁を有し、熱交換器を本体に取り付ける場合に、整流板も同時に熱交換器両端の押え片により本体の左右風路側壁に取り付ける構成にしたので、整流板の本体への固定作業性が改善されコストダウンが図れる。
【００３７】
請求項６の空気調和機は、本体と、この本体の前面に設けられ、吸込口を有する前面パネルと、この前面パネルに対向して設けられた熱交換器と、この熱交換器の下流側に設けられた送風機と、本体の下方に設けられた吹出口とを有する空気調和機において、熱交換器と送風機の間の送風機の近傍に設けられ、風の流れと略平行に配設された整流板を備え、整流板に設けた曲線部を熱交換器のパイプに係止することにより整流板を熱交換器に取り付けた構成にしたので、整流板と熱交換器の隙間寸法を高い精度で得られる。
【００３８】
請求項７の空気調和機は、請求項１又は請求項５又は請求項６記載の空気調和機において、整流板を複数枚の構成にしたので、風量が増大する効果を奏する。
【図面の簡単な説明】
【図１】この発明の実施の形態１による空気調和機の断面図である。
【図２】この発明の実施の形態１による空気調和機の整流板の斜視図である。
【図３】この発明の実施の形態１による空気調和機の要部拡大断面図である。
【図４】（ａ）この発明の実施の形態２による空気調和機の整流板の斜視図、（ｂ）この発明の実施の形態２による空気調和機の整流板の断面図である。
【図５】この発明の実施の形態３による空気調和機の整流板の斜視図である。
【図６】この発明の実施の形態３による空気調和機の整流板の取り付け状態を示す断面図である。
【図７】（ａ）この発明の実施の形態４による空気調和機の斜視図、（ｂ）この発明の実施の形態４による空気調和機の断面図である。
【図８】この発明の実施の形態５による空気調和機の分解斜視図である。
【図９】この発明の実施の形態６による空気調和機の分解斜視図である。
【図１０】この発明の実施の形態６による空気調和機の整流板を示す要部断面図である。
【図１１】（ａ）この発明の実施の形態７による空気調和機の整流板の斜視図、（ｂ）この発明の実施の形態７による空気調和機の整流板を示す要部断面図である。
【図１２】従来の空気調和機の断面図である。
【図１３】従来の空気調和機の要部断面図である。
【符号の説明】
１  本体、２  前面パネル、３  吸込口、５  熱交換器、６  送風機、７  吹出ノズル、８  吹出口、１１  整流板、１３  取付ボス、１６  丸ピン、１７  切り起こし片、１８  左側壁、２１  右側壁、２７  押え片、２８  押え片、２９  鋼線、３０  パイプ。
【図１】
0003625921.tif 000002
【図２】
0003625921.tif 000003
【図３】
0003625921.tif 000004
【図４】
0003625921.tif 000005
【図５】
0003625921.tif 000006
【図６】
0003625921.tif 000007
【図７】
0003625921.tif 000008
【図８】
0003625921.tif 000009
【図９】
0003625921.tif 000010
【図１０】
0003625921.tif 000011
【図１１】
0003625921.tif 000012
【図１２】
0003625921.tif 000013
【図１３】
0003625921.tif 000014